(57)【特許請求の範囲】
【請求項１】
端部材が接合された鉄筋トラス付きのデッキプレートの端部を梁上に載せた状態で前記デッキプレートを梁のフランジに繋止するためのデッキプレート繋止具であって、
前記フランジの下面に係止される左右の係止部と、前記端部材に非接合の状態で固定される固定部と、前記固定部と前記各係止部とを繋ぐ二股状の胴部とが、ひと続きの線状の鋼材により一体に形成されてなり、  
前記胴部がデッキプレートの基板に穿設された左右の貫通孔を貫通し、前記係止部が前記フランジの下面に係止された状態で前記固定部が前記端部材に固定されるデッキプレート繋止具。
【請求項２】
前記鋼材は、バネ性を有するものである請求項１に記載のデッキプレート繋止具。
【請求項３】
前記固定部は、前記端部材の周面に緊密に嵌合させることにより端部材に固定されるものであり、前記胴部は、前記固定部の両端より末拡がりに延び、それぞれの端部が同方向へＵ字状に折り返されて各係止部に連なる請求項１に記載のデッキプレート繋止具。
【請求項４】
前記固定部は、前記端部材と交叉させることにより固定されるものであり、前記胴部は、前記固定部の両端より平行して延び、それぞれの端部が同方向へ直角ないし鋭角に折り曲げられて各係止部に連なる請求項１に記載のデッキプレート繋止具。
【請求項５】
前記固定部は、前記端部材に結束されることにより固定されるものであり、前記胴部は、前記固定部の両端より平行して延び、それぞれの端部が同方向へ鋭角に曲げられて各係止部に連なる請求項１に記載のデッキプレート繋止具。
【請求項６】
両端部に端部材がそれぞれ接合された鉄筋トラス付きのデッキプレートの両端部を平行な各梁上に載せた状態で前記デッキプレートを各梁のフランジに繋止するデッキプレート繋止装置であって、請求項１〜５のいずれかに記載の少なくとも左右一対のデッキプレート繋止具よりなるデッキプレート繋止装置。
【発明の詳細な説明】
【技術分野】
【０００１】
この発明は、鉄筋トラス付きのデッキプレートの端部を梁上に載せた状態でデッキプレートを梁のフランジに繋止するのに用いられるデッキプレート繋止具およびデッキプレート繋止装置に関する。
【背景技術】
【０００２】
従来、鉄骨造や鉄筋コンクリート造の建造物の床を施工するのに、デッキプレートを用いた捨て型枠工法が採用されている。この工法では、平行な梁上に複数枚のデッキプレートを並列に敷設し、デッキプレート上に配筋を施した後、デッキプレート上にコンクリートを打設することで鉄筋コンクリート床構造体を構築する。
【０００３】
上記の床構築過程において、デッキプレート上での作業員の歩行や作業によってデッキプレートに水平方向の力が作用したり、風によりデッキプレートに上下方向の力が作用したりするため、当初の設置位置からデッキプレートが移動しないようにする必要があり、そのために、各デッキプレートの両端部を梁に固定するなどして、各デッキプレートを拘束している。デッキプレートの固定は、従来は仮付け溶接により行われており、デッキプレートの端部を梁のフランジ上に載せてデッキプレートを敷設した後、デッキプレートの端部をフランジにアークスポット溶接する。
【０００４】
デッキプレートには、基板上に鉄筋トラスが組み付けられたものがある。この鉄筋トラス付きのデッキプレートでは、鉄筋トラスの両端部に、異形鋼棒をＬ字状に折り曲げて形成された端部材が取り付けられている。端部材は、水平部分が基板の端縁より梁のフランジ上に突出しており、その突出部分と梁のフランジとの間をアークスポット溶接して、デッキプレートの端部を梁に固定している。
【０００５】
デッキプレートをアークスポット溶接により梁に固定すると、梁母材の鋼が溶接熱の影響により変質して脆性硬化するので、発注者より徐冷するよう強い指導を受けるが、その指導に従って溶接時間をかけてビード長さを延ばし溶融金属量を増やすと、高所での溶接作業であるため、この溶接に伴う火の玉が落下して階下の作業員が火傷したり、可燃物に引火したり、隣家や公道へ火の粉が落下して第三者を火災や事故に巻き込んだりするおそれがある。
【０００６】
上記の問題を解消するため、溶接によらずにデッキプレートを梁に固定することができるデッキプレート固定具が提案された（例えば、特許文献１参照）。
特許文献１に記載のデッキプレート固定具は、デッキプレートの基板に形成した透孔に挿通される本体部を有し、本体部の上端部にねじ軸、下端部に鉤部がそれぞれ設けられたものである。デッキプレートを梁に固定するには、デッキプレートの端部を梁のフランジ上に載せた状態で、デッキプレート固定具の本体部をデッキプレートの基板の透孔に挿通した後、ねじ軸を下方へねじ送りして、ねじ軸の下端と鉤部との間でデッキプレートの端部と梁のフランジとを挟持する。
【先行技術文献】
【特許文献】
【０００７】
【特許文献１】特開昭６２−１４８７５０号公報
【発明の概要】
【発明が解決しようとする課題】
【０００８】
溶接やデッキプレート固定具によってデッキプレートを梁にしっかりと固定した場合、デッキプレートの基板に鉛直方向の外力が作用すると、基板は外力の方向に変形する。その変形は、単純梁形式で支持された各種デッキプレートが、その上面に１５０ｍｍの鉄筋コンクリートを標準的な機器材を用いて構築する際の作業荷重を加えた５００ｋｇｆ／ｍ２が積載された場合に想定されている変形量を参考にすれば、例えば３ｍの水平な基板が中央部で８ｍｍ程度のたわみが発生する。これを基準として想定すれば、例えば、風によってデッキプレートに鉛直上方に５００ｋｇｆ／ｍ２の荷重がかかった場合も同様であると考えられる。ただし、瞬間値は状況が異なるとしても、風は息をするもので、基本的には通常風は、上下方向に瞬時に変わることが多くの実例で明白である。この風でデッキプレートが上方へ変位したと仮定すると、基板の両端の固定点を弦の端部、中央部を弦に対応する弧の中央点とする円弧状の変形に近似できる。この弧の長さは弦の長さに対して、１．９×１０−３％程度長くなるため、板厚の薄い基板では、極小断面で固定された場合、この伸びに追従できず、基板は両端の固定点近傍で引き裂かれるように破断するおそれがある。
【０００９】
また、特許文献１に記載のデッキプレート固定具を用いた場合、ねじ軸の締め付けによってねじ軸の下端が基板に強く圧接されるので、基板に孔が開いたり傷が付いたりして基板が損傷するおそれがある。そのような傷のある基板に外力が作用すると、傷の部分から基板が破断するおそれがある。
【００１０】
さらに、デッキプレート固定具は、デッキプレートの端部毎に少なくとも１個必要となるが、特許文献１に記載のデッキプレート固定具は、構成が簡易でなく、大量生産に不向きであり、製作コストが高くつくという問題がある。
【００１１】
この発明は、上記の課題に着目してなされたもので、デッキプレートの端部をしっかりと固定せずに緩く繋止することにより、板厚の薄い基板であっても、外力を受けて破断するおそれがなく、軽量かつ構成が簡易であって安価に製作できるデッキプレート繋止具およびデッキプレート繋止装置を提供することを目的とする。  
【課題を解決するための手段】
【００１２】
この発明によるデッキプレート繋止具は、端部材が接合された鉄筋トラス付きのデッキプレートの端部を梁上に載せた状態でデッキプレートを梁のフランジに繋止するためのものであって、フランジの下面に係止される左右の係止部と、端部材に非接合の状態で固定される固定部と、固定部と各係止部とを繋ぐ二股状の胴部とが、ひと続きの線状の鋼材により一体に形成されてなり、胴部がデッキプレートの基板に穿設された左右の貫通孔を貫通し、各係止部がフランジの下面に係止された状態で固定部が端部材に固定されるものである。
【００１３】
上記した構成のデッキプレート繋止具を用いて、梁のフランジ上にデッキプレートの端部を載せた状態でデッキプレートを梁のフランジに繋止するには、デッキプレートの基板に穿設された貫通孔に対してデッキプレート繋止具の左右の係止部および二股状の胴部を上方より順次通し、両係止部をフランジの下面に係止された状態で、固定部を端部材に非接合の状態で固定する。これにより、基板はフランジの上面に押し付けられ、基板とフランジとの間に摩擦力が作用してデッキプレートは半固定状態となる。一方、係止部がフランジの下面に係止されることにより、係止部とフランジとの間に摩擦力が作用し、係止部と端部材との間に錨でいうところの把駐力（以下、単に「把駐力」という。）が作用してデッキプレート繋止具がフランジから脱落するのが阻止される。なお、ここでの「把駐力」とは、係止部が動く寸前の抵抗力を意味し、つかむ力と摩擦力との和からなるものと考えられる。
【００１４】
上記した構成によると、ねじ操作などを必要とせず、簡単な作業でデッキプレートを梁に繋止することができる。ここで、「繋止」とは、デッキプレートを梁のフランジに繋ぎ止めて拘束するとの意味であり、この場合、係止部はアンカーとしての機能を発揮するものである。
【００１５】
デッキプレートが梁に繋止されたとき、デッキプレートは拘束された状態にあるが、梁に完全に固定されていない。デッキプレートに外力が作用すると、デッキプレート繋止具は、小さな外力に対しては抵抗し、デッキプレートがずれたり変位したりする場合は緩やかに保持し、その変化を緩やかに阻止する。大きな外力に対しては、デッキプレートが水平方向へわずかに変位するのを許容するもので、デッキプレートの変形や破損が防止される。  
【００１６】
上記した構成において、鋼材は、好ましくはバネ性を有するものであり、このバネ性による復元力により、係止部はデッキプレートの下面に押し付けられてしっかりと係止される。
【００１７】
この発明の好ましい一実施形態においては、固定部は、端部材の周面に緊密に嵌合させることにより端部材に固定されるものである。胴部は、固定部の両端より末拡がりに延び、それぞれの端部が同方向へＵ字状に折り返されて各係止部に連なる。
【００１８】
この発明の他の好ましい実施形態においては、固定部は、端部材と交叉させることにより固定されるものである。胴部は、固定部の両端より平行して延び、それぞれの端部が同方向へ直角ないし鋭角に折り曲げられて各係止部に連なる。
【００１９】
この発明のさらに他の実施形態においては、固定部は、端部材に結束されることにより固定されるものである。胴部は、固定部の両端より平行して延び、それぞれの端部が同方向へ鋭角に曲げられて各係止部に連なる。
【００２０】
この発明によるデッキプレート繋止装置は、両端部に端部材がそれぞれ接合された鉄筋トラス付きのデッキプレートの両端部を平行な各梁上に載せた状態でデッキプレートを各梁のフランジに繋止するものであって、上記したいずれかの形態の少なくとも左右一対のデッキプレート繋止具よりなる。
【発明の効果】
【００２１】
この発明によれば、デッキプレート繋止具はひと続きの線状の鋼材により形成されるので、軽量かつ構成が簡易であり、大量生産が可能となり、安価に製作できる。また、ねじの締付操作などを必要とせず、簡単な作業でデッキプレートを梁に繋止することが可能であり、熟練を要さず、高所作業が容易である。さらに、デッキプレートの基板の板厚が薄くても、外力を受けて基板が破断するおそれがない。
【図面の簡単な説明】
【００２２】
【図１】鉄筋トラス付きのデッキプレートの両端部がデッキプレート繋止装置により梁に繋止された状態を示す正面図である。
【図２】平行な梁上に複数のデッキプレートが敷設されて繋止された状態を示す平面図である。
【図３】第１の実施形態のデッキプレート繋止具を示す斜視図である。
【図４】図３のデッキプレート繋止具によりデッキプレートが梁に繋止されている状態を示す側面図である。
【図５】図３のデッキプレート繋止具によりデッキプレートが梁に繋止されている状態を示す正面図である。
【図６】図３のデッキプレート繋止具によりデッキプレートを梁に繋止する手順を示す側面図である。
【図７】第２の実施形態のデッキプレート繋止具を示す斜視図である。
【図８】図７のデッキプレート繋止具によりデッキプレートが梁に繋止されている状態を示す側面図である。
【図９】図７のデッキプレート繋止具によりデッキプレートが梁に繋止されている状態を示す平面図である。
【図１０】図７のデッキプレート繋止具によりデッキプレートを梁に繋止する手順を示す側面図である。
【図１１】第３の実施形態のデッキプレート繋止具を示す斜視図である。
【図１２】図１１のデッキプレート繋止具によりデッキプレートが梁に繋止されている状態を示す側面図である。
【図１３】図１１のデッキプレート繋止具によりデッキプレートを梁に繋止する手順を示す側面図である。
【発明を実施するための形態】
【００２３】
図１は、平行な梁９上に敷設された鉄筋トラス付きのデッキプレート（以下「デッキプレート」という。）１の構成と、デッキプレート１の両端部を各梁９のフランジ９０に繋止するデッキプレート繋止装置の構成とを示している。
デッキプレート１は、図２に示されるように、複数枚が平行な鉄骨梁（以下、「梁」という。）９のフランジ９０上に両方の端部が載せられて支持されている。各デッキプレート１の端部が梁９のフランジ９０上に載置される長さ（以下、「乗せかけ長さ」という。）は、例えば３０〜５０ｍｍであり、デッキプレートの種類に応じて最適な値に定められる。
【００２４】
各デッキプレート１は、両端部がデッキプレート繋止具２により梁９のフランジ９０上にそれぞれ繋止される。なお、図２では、デッキプレート繋止具２の図示を省略しており、デッキプレート繋止具２の設置位置を２点鎖線Ｘで示している。デッキプレート繋止具２は、１枚のデッキプレート１につき、両方の端部の中央位置にそれぞれ１個づつ配設されているが、デッキプレート１の大きさに応じて設置個数をさらに増やしてもよい。
【００２５】
デッキプレート繋止装置は、左右少なくとも１対のデッキプレート繋止具２により構成される。図３以下の各実施態様においては、左右の各デッキプレート繋止具２は同一の形態のものであるが、必ずしもこれに限られるものではない。
図３以下の説明では、図１に示される左右のデッキプレート繋止具２のうち、左側のデッキプレート繋止具２についてのみ説明し、右側のデッキプレート繋止具２についての説明は省略する。
【００２６】
デッキプレート１は、溶融亜鉛メッキ鋼板よりなる基板１５と、基板１５上に一定の間隔（例えば１５０ｍｍ間隔）で並設された複数（図示例では３個）の鉄筋トラス１２とを備えている。以下の説明では、鉄筋トラス１２が並べられる方向を「幅方向」、鉄筋トラス１２が延びる方向を「長さ方向」という。なお、図２には、鉄筋トラス１２の図示を省略しており、各鉄筋トラス１２の位置を１点鎖線で示してある。デッキプレート繋止具２は、中央位置の鉄筋トラス１２の位置に設けられている。
【００２７】
基板１５は、例えば、幅が６００ｍｍ、長さが６００〜７００ｍｍである。基板１５上には、長さ方向に沿って所定の間隔で複数の吊り材１７が平行に配設されている。各吊り材１７の頂部に各鉄筋トラス１２の上端筋１３が溶接により固着され、各鉄筋トラス１２が吊持されている。
【００２８】
鉄筋トラス１２は、上端筋１３と、上端筋１３と平行な下端筋１４と、上端筋１３と下端筋１４との間に設けられるラチス筋１６とを含むもので、吊り材１７と直交する方向、すなわち、長さ方向に配設されている。鉄筋トラス１２の両方の端部には、Ｌ字形状の端部材１１がそれぞれ溶接により取り付けられている。上端筋１３、下端筋１４、および端部材１１は、例えば、平均外径が１３ｍｍ、最大外径が１５ｍｍの異形鋼棒を用いて構成される。また、基板１０の両側縁には、図示していないが、隣のデッキプレートと繋ぐための継ぎ手部が一体に形成されている。
【００２９】
端部材１１は、断面形状が円形の異形鋼棒を直角に曲げて形成されたものである。端部材１１の垂直部分１１ａは鉄筋トラス１２の上端筋１３および下端筋１４の一側面に溶接により接合されている。端部材１１の水平部分１１ｂは基板１５の上面に接し、基板１５の端縁より梁９のフランジ９０上に突出している。なお、図示例のデッキプレート１には、梁９のフランジ９０に溶接することが可能な構成として端部材１１が予め設けられているが、端部材１１は既設のものに限らず、後付けしたものであってもよい。
【００３０】
図３は、デッキプレート繋止具２の第１の実施形態を示している。また、図４および図５は、図３のデッキプレート繋止具２によりデッキプレート１の端部が梁９のフランジ９０上に繋止された状態を示している。なお、図５において、１８で示す鉄筋は、端部材１１の垂直部分１１ｂに対する下端筋１４の対称位置に、下端筋１４と平行に溶接により取り付けられたもので、ここでは、「支持鉄筋１８」という。
【００３１】
デッキプレート繋止具２は、梁９のフランジ９０の下面に係止される左右の係止部３ａ，３ｂと、デッキプレート１の端部材１１に非接合の状態で固定される固定部４と、固定部４と係止部３ａ，３ｂとを繋ぎデッキプレート１の基板１５を貫通する二股状の胴部５ａ，５ｂとが、ひと続きの線状の鋼材を曲げ加工して一連一体に形成されてなる。ここで、「左右」とは、デッキプレート繋止具２の中心線に対して両側方をいい、図３および図５において矢印Ｑで示す方向である。胴部５ａ，５ｂを二股状として左右に係止部３ａ，３ｂを形成したことで、デッキプレート１の平面的な回転が防止される。
【００３２】
鋼材は、断面が円形の丸鋼であり、焼き入れ等の所定の処理を施すことによりバネ性が付与されている。鋼材として、直径が３ｍｍ程度のものが用いてあるが、これに限定されるものではない。
図示例のデッキプレート繋止具２は、１本の丸鋼を折り曲げ加工して左右対称の形状に形成されているが、必ずしも左右対称の形状である必要はない。また、丸鋼もひと続きのものであれば、２本以上の丸鋼を繋ぎ合わせたものであってもよい。
【００３３】
各係止部３ａ，３ｂは、ほぼ直線状をなす棒状の形態を有し、互いに平行であり、フランジ９０の下面に係止される。各係止部３ａ，３ｂの先端部３０，３０は曲げられ、デッキプレート繋止具２を設置する際、図６に示すように、フランジ９０の端部に引っ掛け易くなっている。
【００３４】
固定部４は、端部材１１の垂直部分１１ａに非接合の状態で固定されるものである。ここで、「非接合の状態で固定される」とは、溶着や接着によらずに固定されること、すなわち、固着されずに固定されることを意味する。非接合の状態で固定するには種々の態様が考えられるが、図示例の固定部４は、端部材１１の垂直部分１１ｂの周面に緊密に嵌合させることで端部材１１に固定されるものである。
【００３５】
固定部４は、平面視がＣ形形状をなし、上下２段にわたる円弧状部４１ａ，４１ｂよりなる。上段の円弧状部４１ａは端部材１１の垂直部分１１ａの周面をほぼ半周するもので、全長にわたり連続している。上段の円弧状部４１ａ，４１ｂの両端部がそれぞれ折り返され、これにより下段の円弧状部４１ｂが形成されている。各折り返し端間は開放部４０を構成しており、開放部４０の開口幅は、端部材１１の直径よりわずかに小さい値に設定されている。開放部４０は、左右に押し広げることが可能であり、端部材１１の外周面に円弧状部４１ａ，４１ｂが嵌まるようになっている。
【００３６】
円弧状部４１ａ、４１ｂは端部材１１の外周面に沿う形状であり、復元力により縮径して元の形態に戻ったとき、円弧状部４１ａ，４１ｂは端部材１１の外周面に密接して緊密嵌合する。これにより固定部４と端部材１１との間に摩擦力が作用し、固定部４が端部材１１上を滑動しないように固定される。下段の円弧状部４１ｂは内端部４２において胴部５ａ，５ｂと連続する。    
【００３７】
胴部５ａ，５ｂは、固定部４と係止部３ａ，３ｂとを繋ぐものである。係止部３ａ，３ｂおよび胴部５ａ，５ｂは、デッキプレート１の基板１５に穿設された左右の貫通孔１０，１０を上方より通すことが可能である。各貫通孔１０は、幅が鋼材の直径よりやや大きな長孔であり、基板１５の端部材１１に対して左右対称位置に、長さ方向が端部材１１の水平部分１１ｂと平行となるように設けられる。なお、デッキプレート１は、捨て型枠工法における仮設材（堰板）であるので、基板１５への穿孔はデッキプレート１に悪影響を及ぼさない。
【００３８】
胴部５ａ，５ｂは、固定部４の各内端部４２より末拡がりに延びる本体部５０ａ，５０ｂと、各本体部５０ａ，５０ｂの端部に形成される鋭角状の折り返し部５１ａ，５１ｂと、各折り返し部５１ａ，５１ｂより同方向へ平行に延びてＵ字状に折り返される鉤状部５２ａ，５２ｂとを有するもので、各鉤状部５２ａ，５２ｂは各係止部３ａ，３ｂに連なる。
【００３９】
鉤状部５２ａ，５２ｂと各係止部３ａ，３ｂとの間の間隔Ｌは、梁９のフランジ９０の厚みよりわずかに小さな値に設定されている。デッキプレート繋止具２の設置時、鉤状部５２ａ，５２ｂの後部を工具により殴打することで、各係止部３ａ，３ｂが押し広げられて間隔Ｌが広がり、図６において矢印Ｒで示すように、フランジ９０の下面に係止部３ａ，３ｂが係合する。係止部３ａ，３ｂは復元力によってフランジ９０の下面に押し付けられて密接し、密接による摩擦力と把駐力との相互作用によって係止部３ａ，３ｂがフランジ９０の下面に係止される。係止部３ａ，３ｂをフランジ９０の下面に係合させるとき、胴部５ａ，５ｂは端部材１１の垂直部分１１ａに向けて倒れるので、固定部４の円弧状部４１ａ，４１ｂを垂直部分１１ａに嵌合させることができる。
【００４０】
固定部４の円弧状部４１ａ，４１ｂが端部材１１の垂直部分１１ａに嵌合した状態のとき、折り返し部５１ａ，５１ｂがデッキプレート１の基板１５の上面に当接し、各本体部５０ａ，５０ｂは図５に示すように下端筋１４および支持鉄筋１８に外側より当接するので、デッキプレート繋止具２は安定状態で支えられる。
【００４１】
図７は、デッキプレート繋止具２の第２の実施形態を示している。また、図８および図９は、図７のデッキプレート繋止具２によりデッキプレート１の端部が梁９のフランジ９０上に繋止された状態を示している。
【００４２】
デッキプレート繋止具２は、左右の係止部３ａ，３ｂと固定部４と二股状で互いに平行な胴部５ａ，５ｂとが、ひと続きの線状の鋼材を曲げ加工して一連一体に形成されてなるもので、胴部５ａ，５ｂがデッキプレート１の基板１５に穿設された左右の貫通孔１０を貫通し、各係止部３ａ，３ｂがフランジ９０の下面に係止された状態で固定部４が端部材１１に固定されるようになっている。なお、図７において、矢印Ｑは左右方向を示している。鋼材は、断面が円形であり、直径が３ｍｍ程度のものであり、焼き入れ等の所定の処理を施すことによりバネ性が付与されている。
【００４３】
各係止部３ａ，３ｂは、直線状をなす棒状の形態をなし、互いに平行であり、フランジ９０の下面に係止される。各係止部３ａ，３ｂは先端部３０，３０が曲げられ、デッキプレート繋止具２を設置する際、図８に示すように、フランジ９０の端部９１が引っ掛かり易くなっている。
【００４４】
固定部４は、端部材１１の屈曲部分１１ｃに非接合の状態で固定されるもので、緩やかに湾曲する湾曲部４３を有する。湾曲部４３は端部材１１の屈曲部分１１ｃ上に跨がっており、端部材１１と交叉することにより、端部材１１に非接合状態で固定されるものである。
【００４５】
各胴部５ａ，５ｂは、固定部４と係止部３ａ，３ｂとを繋ぐものである。係止部３ａ，３ｂおよび胴部５ａ，５ｂは、デッキプレート１の基板１５に穿設された左右の貫通孔１０，１０を上方より通すことが可能である。なお、貫通孔１０の形状および穿設位置は第１の実施形態と同様である。固定部４の湾曲部４３の両端は、湾曲部４３がなす面に対して鈍角をなす所定の角度θ１（例えばθ１＝１２０度）に曲げられて平行して延び、これにより胴部５ａ，５ｂが形成されている。各胴部５ａ，５ｂは、それぞれ端部が固定部４の湾曲部４３と同方向へ直角ないし鋭角をなす角度θ２で折り曲げられて各係止部３ａ，３ｂに連なっている。
【００４６】
胴部５ａ，５ｂは、図８に示す繋止状態、すなわち、係止部３ａ，３ｂと端部材１１との間に把駐力が作用してデッキプレート繋止具２が梁９に繋止し得る状態となるように、フランジ４０の厚みに応じて最適な長さに設定される。最適な長さに設定されることにより、図１０に示すように、固定部４を端部材１１上に跨がるようにして交叉させ、矢印Ｐ１の方向へ胴部５ａ，５ｂを変位させ、さらに係止部３ａ，３ｂを矢印Ｐ２の方向へ回動させることにより、各係止部３ａ，３ｂの先端部３０がフランジ９０の端部に当たって押し広げられ、各係止部３ａ，３ｂがフランジ９０の下面に係止される。
【００４７】
図１１は、デッキプレート繋止具２の第３の実施形態を示している。また、図１２は、図１１のデッキプレート繋止具２によりデッキプレート１の端部が梁９のフランジ９０上に繋止された状態を示している。
【００４８】
デッキプレート繋止具２は、左右の係止部３ａ，３ｂと固定部４と二股状で互いに平行な胴部５ａ，５ｂとが、ひと続きの線状の鋼材を曲げ加工して一連一体に形成されてなるもので、胴部５ａ，５ｂがデッキプレート１の基板１５に穿設された左右の貫通孔１０を貫通し、各係止部３ａ，３ｂがフランジ９０の下面に係止された状態で固定部４が端部材１１に固定されるようになっている。鋼材は、断面が円形であり、直径が３ｍｍ程度のものであり、焼き入れ等の所定の処理を施すことによりバネ性が付与されている。
【００４９】
各係止部３ａ，３ｂは、直線状をなす棒状の形態を有し、互いに平行であり、フランジ９０の下面に係止される。各係止部３ａ，３ｂは先端部３０，３０が曲げられ、デッキプレート繋止具２を設置する際、図１２に示すように、フランジ９０の端部が引っ掛かり易くなっている。
【００５０】
固定部４は、端部材１１の垂直部分１１ａに非接合の状態で固定されるもので、Ｕ字状に折り曲げることにより形成され、湾曲部４４と二股部４５とを一連に有する。湾曲部４４には、鉄筋トラスの上端筋１３に支持された吊り金具７が引っ掛けられ、これによりデッキプレート繋止具２の全体が上方へ引き上げられた状態で吊持される。二股部４５は、端部材１１の垂直部分１１ａに線材７０により縛り付けられるもので、これにより固定部４が端部材１１に非接合の状態で固定される。
【００５１】
各胴部５ａ，５ｂは、固定部４と係止部３ａ，３ｂとを繋ぐものである。固定部４の二股部４５，４５は平行して延び、これにより胴部５ａ，５ｂが形成されている。胴部５ａ，５ｂの下端は鋭角をなす角度θで同方向へ折り曲げられて各係止部３ａ，３ｂに連なる。係止部３ａ，３ｂおよび胴部５ａ，５ｂは、デッキプレート１の基板１５に穿設された左右の貫通孔１０，１０を上方より通すことが可能である。なお、貫通孔１０の形状および穿設位置は第１、第２の実施形態と同様である。
【００５２】
胴部５ａ，５ｂは、図１２に示す繋止状態、すなわち、係止部３ａ，３ｂと端部材１１との間に把駐力が作用してデッキプレート繋止具２が梁９に繋止し得る状態となるように、最適な長さに設定される。最適な長さに設定されることにより、図１３に示すように、係止部３ａ，３ｂを貫通孔１０へ上方より挿入し、全体を起き上がらせるようにして係止部３ａ，３ｂをフランジ９０の下面に引っ掛けた後、全体を持ち上げるようにして係止部３ａ，３ｂをフランジ９０の下面に係止させたとき、固定部４の湾曲部４４が上端筋１３の近傍に達し、吊り金具７による吊持および線材７０による縛り付けが可能となる。
【００５３】
上記した第１〜第３の各実施形態のデッキプレート繋止具２のいずれかを用いて、梁９のフランジ９０上にデッキプレート１の端部を載せた状態でデッキプレート１を梁９のフランジ９０に繋止するには、デッキプレート１の基板１５に穿設された貫通孔１０，１０に対してデッキプレート繋止具２の係止部３ａ，３ｂおよび胴部５ａ，５ｂを上方より順次通し、係止部３ａ，３ｂがフランジ９０の下面に係止された状態で、固定部４を端部材１１に非接合の状態で固定する。これにより、基板１５はフランジ９０の上面に押し付けられ、基板１５とフランジ９０との間に摩擦力が作用してデッキプレート１は半固定状態となる。
【００５４】
一方、係止部３ａ，３ｂがフランジ９０の下面に係止されることにより、係止部３ａ，３ｂとフランジ９０との間に摩擦力が作用し、係止部３ａ，３ｂと端部材１１との間に把駐力が作用してデッキプレート繋止具２がフランジ９０から脱落するのが阻止される。
【００５５】
このようにデッキプレート１が梁９に繋止されたとき、デッキプレート１は拘束された状態にあるが、梁９に完全に固定されていない。デッキプレート１に外力が作用すると、デッキプレート繋止具２は、小さな外力に対しては抵抗し、デッキプレート１がずれたり変位したりする場合は緩やかに保持し、その変化を緩やかに阻止する。大きな外力に対しては、デッキプレート１が水平方向へわずかに変位するのを許容するもので、デッキプレート１の変形や破損が防止される。  
【００５６】
なお、この発明のデッキプレート繋止具２は、上記した第１〜第３の実施形態に限定されるものではなく、胴部５ａ，５ｂがデッキプレート１の基板１５に穿設された左右の貫通孔１０を貫通し、各係止部３ａ，３ｂが梁９のフランジ９０の下面に係止された状態で固定部４が端部材１１に非接合の状態で固定されるものであれば、係止部３ａ，３ｂ、固定部４、および胴部５ａ，５ｂの構造や形態を種々に設計変更することが可能である。
【符号の説明】
【００５７】
１    デッキプレート
２    デッキプレート固定具
３ａ，３ｂ  係止部
４    固定部
５ａ，５ｂ  胴部
９    梁
９０  フランジ
１１  端部材
１２  鉄筋トラス
１５  基板
【要約】
【課題】板厚の薄い基板であっても、外力を受けて破断するおそれがなく、軽量かつ構成が簡易であって安価に製作できるデッキプレート繋止具を提供する。
【解決手段】デッキプレート繋止具２は、端部材１１が接合された鉄筋トラス付きのデッキプレート１の端部を梁４上に載せた状態でデッキプレート１を梁４のフランジ４０に繋止するためのであって、フランジ４０の下面に係止される左右の係止部３ａ，３ｂと、端部材１１に非接合の状態で固定される固定部４と、固定部４と各係止部３ａ，３ｂとを繋ぐ二股状の胴部５ａ，５ｂとが、ひと続きの線状の鋼材により一体に形成されてなる。胴部５ａ，５ｂがデッキプレート１の基板１５に穿設された左右の貫通孔１０を貫通し、係止部３ａ，３ｂがフランジ４０の下面に係止された状態で固定部４が端部材１０に固定される。
【選択図】図４【図１】
0006664728.tif 000002
【図２】
0006664728.tif 000003
【図３】
0006664728.tif 000004
【図４】
0006664728.tif 000005
【図５】
0006664728.tif 000006
【図６】
0006664728.tif 000007
【図７】
0006664728.tif 000008
【図８】
0006664728.tif 000009
【図９】
0006664728.tif 000010
【図１０】
0006664728.tif 000011
【図１１】
0006664728.tif 000012
【図１２】
0006664728.tif 000013
【図１３】
0006664728.tif 000014